(57)【要約】【課題】サービス対象ユーザに年齢制限サービスを簡単かつ確実に提供することができるデータ処理装置を提供する。【解決手段】データ処理装置１００は、特定年齢範囲ＩＡＲでないと所持できない年齢制限物品ＳＴＰの各種の物品外観特徴ＰＡＳを保持する。年齢制限物品ＳＴＰが撮像されている物品撮像画像ＰＣＧを受信すると、物品撮像画像ＰＣＧから物品外観特徴ＰＡＳを抽出して年齢制限物品ＳＴＰを特定する。この特定でサービス対象ユーザＳＴＹが特定年齢範囲ＩＡＲと判定されると年齢制限サービスＡＣＳの提供を許可する。このため、サービス対象ユーザＳＴＹは特定年齢範囲ＩＡＲでないと所持できない年齢制限物品ＳＴＰを撮像して送信するだけで年齢制限サービスＡＣＳの提供が許可される。【選択図】図１
2010079396.tif 000002
【特許請求の範囲】
【請求項１】
特定年齢範囲のサービス対象ユーザに年齢制限サービスを提供することに利用されるデータ処理装置であって、
前記特定年齢範囲の前記サービス対象ユーザしか所持できない年齢制限物品の各種の物品外観特徴を保持する特徴保持部と、
前記年齢制限物品が撮像されている物品撮像画像を受信する画像受信部と、
受信された前記物品撮像画像に撮像されている前記年齢制限物品から少なくとも一つの前記物品外観特徴を抽出する特徴抽出部と、
抽出された前記物品外観特徴から前記年齢制限物品を特定する物品特定部と、
特定された前記年齢制限物品により前記サービス対象ユーザが前記特定年齢範囲か判定する年齢判定部と、
前記サービス対象ユーザが前記特定年齢範囲と判定されると前記年齢制限サービスの提供を許可するサービス許可部と、
を有するデータ処理装置。
【請求項２】
複数種類の前記年齢制限物品ごとに複数種類の前記年齢制限サービスが用意されており、
前記物品特定部は、前記年齢制限物品を種類まで特定し、
前記サービス許可部は、特定された種類の前記年齢制限物品に対応した種類の前記年齢制限サービスの提供を許可する請求項１に記載のデータ処理装置。
【請求項３】
前記画像受信部は、種類が相違する複数の前記年齢制限物品が撮像されている前記物品撮像画像を受信し、
前記物品特定部は、複数の前記年齢制限物品ごとに種類も特定し、
前記サービス許可部は、特定された複数の前記年齢制限物品の種類の組み合わせに対応した前記年齢制限サービスの提供を許可する請求項２に記載のデータ処理装置。
【請求項４】
前記サービス対象ユーザの少なくとも上半身に露呈する対象ユーザ年代ごとの各種の生物学的特質を保持する特質保持部を、さらに有し、
前記画像受信部は、前記年齢制限物品と前記サービス対象ユーザとが一緒に撮像されている前記物品撮像画像を受信し、
前記年齢判定部は、受信された前記物品撮像画像に撮像されている前記サービス対象ユーザが前記特定年齢範囲か前記生物学的特質に基づいて推定し、
前記サービス許可部は、前記サービス対象ユーザが前記生物学的特質に基づいて前記特定年齢範囲と推定されないと前記年齢制限サービスの提供を許可しない請求項１ないし３の何れか一項に記載のデータ処理装置。
【請求項５】
前記特質保持部は、前記サービス対象ユーザの外観に露呈する対象ユーザ年代ごとの前記生物学的特質ではない各種の年代文化特質も保持し、
前記年齢判定部は、受信された前記物品撮像画像に撮像されている前記サービス対象ユーザが前記特定年齢範囲か前記年代文化特質にも基づいて推定し、
前記サービス許可部は、前記サービス対象ユーザが前記年代文化特質にも基づいて前記特定年齢範囲と推定されないと前記年齢制限サービスの提供を許可しない請求項４に記載のデータ処理装置。
【請求項６】
受信された前記物品撮像画像に撮像されている前記年齢制限物品から抽出された前記物品外観特徴と前記サービス対象ユーザから抽出された前記年代文化特質とを組み合わせてデータ収集するデータ収集部を、さらに有する請求項５に記載のデータ処理装置。
【請求項７】
前記画像受信部は、前記サービス対象ユーザが所持するユーザ情報端末で撮像されて送信された前記物品撮像画像を受信し、
前記ユーザ情報端末にインストールされて前記物品撮像画像を暗号化して送信する暗号送信プログラムを保持するプログラム保持部と、
保持されている前記暗号送信プログラムを前記ユーザ情報端末に提供するプログラム提供部とを、さらに有し、
前記画像受信部は、前記暗号送信プログラムで暗号化されて受信した前記物品撮像画像を復号する請求項１ないし６の何れか一項に記載のデータ処理装置。
【請求項８】
前記物品撮像画像を送信した前記ユーザ情報端末に許可された前記年齢制限サービスをデータ提供するサービス提供部を、さらに有する請求項１ないし７の何れか一項に記載のデータ処理装置。
【請求項９】
前記年齢制限物品がタバコパックとタバコカートンとの少なくとも一方からなる請求項１ないし８の何れか一項に記載のデータ処理装置。
【請求項１０】
特定年齢範囲のサービス対象ユーザに年齢制限サービスを提供することに利用されるデータ処理装置のコンピュータプログラムであって、
前記特定年齢範囲の前記サービス対象ユーザしか所持できない年齢制限物品の各種の物品外観特徴を保持する特徴保持処理と、
前記年齢制限物品が撮像されている物品撮像画像を受信する画像受信処理と、
受信された前記物品撮像画像に撮像されている前記年齢制限物品から少なくとも一つの前記物品外観特徴を抽出する特徴抽出処理と、
抽出された前記物品外観特徴から前記年齢制限物品を特定する物品特定処理と、
特定された前記年齢制限物品により前記サービス対象ユーザが前記特定年齢範囲か判定する年齢判定処理と、
前記サービス対象ユーザが前記特定年齢範囲と判定されると前記年齢制限サービスの提供を許可するサービス許可処理と、
を前記データ処理装置に実行させるコンピュータプログラム。
【請求項１１】
特定年齢範囲のサービス対象ユーザに年齢制限サービスを提供することに利用されるデータ処理装置のデータ処理方法であって、
前記特定年齢範囲の前記サービス対象ユーザしか所持できない年齢制限物品の各種の物品外観特徴を保持する特徴保持動作と、
前記年齢制限物品が撮像されている物品撮像画像を受信する画像受信動作と、
受信された前記物品撮像画像に撮像されている前記年齢制限物品から少なくとも一つの前記物品外観特徴を抽出する特徴抽出動作と、
抽出された前記物品外観特徴から前記年齢制限物品を特定する物品特定動作と、
特定された前記年齢制限物品により前記サービス対象ユーザが前記特定年齢範囲か判定する年齢判定動作と、
前記サービス対象ユーザが前記特定年齢範囲と判定されると前記年齢制限サービスの提供を許可するサービス許可動作と、
を有するデータ処理方法。
【発明の詳細な説明】
【技術分野】
【０００１】
本発明は、少なくとも年齢制限物品を所持している特定年齢範囲のサービス対象ユーザに年齢制限サービスを提供することに利用されるデータ処理装置、このデータ処理装置のためのコンピュータプログラムおよびデータ処理方法、に関する。
【背景技術】
【０００２】
現在、各種の製品製造メーカが各種製品を製造販売するとともに、その製品を購入した一般ユーザに販促などのために各種サービスを提供している。例えば、製品にラベルを付与しておき、そのラベルを葉書に貼付して製品製造メーカに送付すると、その製品製造メーカからプレゼントが搬送されるユーザサービスなどが実施されている。
【０００３】
なお、上述のようなサービスの一部ないし全部をインターネットなどを利用して自動化することも各種実施されている。ただし、上述のようなサービスには年齢制限が必要な場合もある。
【０００４】
例えば、製品がアルコール飲料やタバコパックなどの場合、その購入ユーザは成人に限定される。当然ながら、その製品に関連したユーザサービスの対象者も成人に限定する必要がある。
【０００５】
換言すると、製品製造メーカが一般ユーザに製品購入などに関連してユーザサービスを実施する場合でも、その製品に年齢制限があるならば、そのユーザサービスも年齢制限する必要がある。
【０００６】
このため、上述のような場合には、一般ユーザが製品製造メーカからユーザサービスを受領するようなときに、簡単かつ確実に年齢を認証する必要がある。現在、このようなことをデータ処理装置などで実施する各種の提案がある。
【０００７】
例えば、携帯電話を利用して、任意の人がいつでもどこでも個人認証できるサービス方法が提案されている。このサービス方法では、携帯電話装置を使用する個人の氏名、住所および生年月日を証明する少なくとも一つの書類を、携帯電話使用者個人の顔写真と共にサーバ装置に予め読み込んで登録するステップと、携帯電話の使用者が対面相手に対して個人証明する必要が発生した場合に、その携帯電話からサーバ装置内の登録内容を呼び出し、顔写真および書類を携帯電話の表示部に表示させて対面相手に提示することにより、対面相手に該携帯電話の使用者本人であることを確認させる(例えば、特許文献１参照)。
【０００８】
また、個人の身分の証明能力を持たせた形態で個人情報を登録可能とし、身分証明書としての機能を持たせる発明もある。この発明では、カメラを備えた携帯端末の購入契約が終了すると、身分証明書の機能を取得する場合、そのための手続をこの携帯端末の購入店に依頼する。
【０００９】
購入店は、この購入者に関する情報（氏名，住所など）を携帯端末に入力するとともに、カメラで購入者の顔写真を撮影し、これらを購入者の個人情報として携帯運営会社に送信する。
【００１０】
携帯運営会社は、この個人情報を受信すると、顔写真が合成された身分証明書のフォーマットの画像を作成し、さらに、セキュリティを掛けて携帯端末に送信する。携帯端末では、これが受信されてメモリに登録される。この登録された画像を読み出して表示装置に供給することにより、身分証明書が表示される(例えば、特許文献２参照)。
【００１１】
さらに、プリペイド式携帯電話機の販売において、前記携帯電話機を自動販売機に収納して販売し、且つ販売時に顧客の身元確認等の作業を実行できるように構成した発明もある。
【００１２】
この発明は、身元確認手段と記憶手段と通信手段とを有しプリペイド式携帯電話機を販売する自動販売機であって、前記身元確認手段は前記プリペイド式携帯電話機の購入者が所有する健康保険証やパスポートや運転免許証等の身分証に表示した文字や写真等をイメージデータ若しくはテキストデータとして取り込み身元確認情報とし、これを前記記憶手段に記憶すると共に、前記通信手段を用いて該身元確認情報を携帯電話サービスを提供する携帯電話サービス事業者へ通知する(例えば、特許文献３参照)。
【００１３】
また、自動販売機において、生体認証による年齢識別制御システムを提供する発明もある。この場合、購入に年齢制限のある商品を販売する自動販売機又はその周辺に、客の生体データを採取する手段を設け、自動販売機又はその周辺、或いは自動販売機を制御する管理センタに、採取された生体データから、当該客の年齢を判定し、この判定結果が「資格あり」であるときは自動販売機に対して「販売可」制御を行い、「資格無し」であるときは自動販売機に対して「販売不可」制御を行う(例えば、特許文献４参照)。
【００１４】
さらに、年齢制限のある商品が外部から容易に見えないようにすると共に、何ら証明媒体を使用しないでも購入者本人が未成年か否かを確認できる発明もある。この場合、前面に年齢制限のない清涼飲料ボトル等を展示し、年齢制限のあるタバコ等は、購入者が制限年齢以上と判別した場合のみ液晶ディスプレーに表示する。
【００１５】
制限年齢以上か否かは、顔認証手段がデジタルカメラの撮影データと、ハードディスクに記録してある多数の顔のデータとを照合して判別する。判別できないときにはインターネットを介して目視判別し、さらに判別できないときには音声にて判別する。判別した撮影データは記録されるので、それ以降の同一人に対しては、迅速かつ確実に自動判別が可能になる（例えば、特許文献５参照）。
【特許文献１】特開２００２−２０７８３８号公報
【特許文献２】特開２００４−１７９８５９号公報
【特許文献３】特開２００２−１８３８１１号公報
【特許文献４】特開２００３−２１７０１０号公報
【特許文献５】特開２００６−３０１８２９号公報
【発明の開示】
【発明が解決しようとする課題】
【００１６】
上述のようにデータ処理装置などを利用して一般ユーザを年齢認証する各種の提案がある。しかし、遠隔の一般ユーザを簡単かつ確実に年齢認証して年齢制限サービスを提供する現実的な手法は確立されていない。
【００１７】
本発明は上述のような課題に鑑みてなされたものであり、サービス対象ユーザに年齢制限サービスを簡単かつ確実に提供することができるデータ処理装置、そのデータ処理装置のためのコンピュータプログラムおよびデータ処理方法、を提供するものである。
【課題を解決するための手段】
【００１８】
本発明のデータ処理装置は、特定年齢範囲のサービス対象ユーザに年齢制限サービスを提供することに利用されるデータ処理装置であって、特定年齢範囲のサービス対象ユーザしか所持できない年齢制限物品の各種の物品外観特徴を保持する特徴保持部と、年齢制限物品が撮像されている物品撮像画像を受信する画像受信部と、受信された物品撮像画像に撮像されている年齢制限物品から少なくとも一つの物品外観特徴を抽出する特徴抽出部と、抽出された物品外観特徴から年齢制限物品を特定する物品特定部と、特定された年齢制限物品によりサービス対象ユーザが特定年齢範囲か判定する年齢判定部と、サービス対象ユーザが特定年齢範囲と判定されると年齢制限サービスの提供を許可するサービス許可部と、を有する。
【００１９】
従って、本発明のデータ処理装置は、特定年齢範囲のサービス対象ユーザに年齢制限サービスを提供することに利用される。このため、特定年齢範囲のサービス対象ユーザしか所持できない年齢制限物品の各種の物品外観特徴を特徴保持部が保持する。このような状態で、年齢制限物品が撮像されている物品撮像画像を画像受信部が受信すると、受信された物品撮像画像に撮像されている年齢制限物品から少なくとも一つの物品外観特徴を特徴抽出部が抽出する。この抽出された物品外観特徴から年齢制限物品を物品特定部が特定する。この特定された年齢制限物品によりサービス対象ユーザが特定年齢範囲か年齢判定部が判定する。これでサービス対象ユーザが特定年齢範囲と判定されると年齢制限サービスの提供をサービス許可部が許可する。このため、サービス対象ユーザが年齢制限物品を撮像して送信するだけで、その年齢制限物品により特定年齢範囲が確認されて年齢制限サービスの提供がサービス対象ユーザに許可される。特に、年齢制限物品は特定年齢範囲でないと所持できないので、簡単かつ確実にサービス対象ユーザが特定年齢範囲か判定される。
【００２０】
また、上述のようなデータ処理装置において、複数種類の年齢制限物品ごとに複数種類の年齢制限サービスが用意されており、物品特定部は、年齢制限物品を種類まで特定し、サービス許可部は、特定された種類の年齢制限物品に対応した種類の年齢制限サービスの提供を許可してもよい。
【００２１】
また、上述のようなデータ処理装置において、画像受信部は、種類が相違する複数の年齢制限物品が撮像されている物品撮像画像を受信し、物品特定部は、複数の年齢制限物品ごとに種類も特定し、サービス許可部は、特定された複数の年齢制限物品の種類の組み合わせに対応した年齢制限サービスの提供を許可してもよい。
【００２２】
また、上述のようなデータ処理装置において、サービス対象ユーザの少なくとも上半身に露呈する対象ユーザ年代ごとの各種の生物学的特質を保持する特質保持部を、さらに有し、画像受信部は、年齢制限物品とサービス対象ユーザとが一緒に撮像されている物品撮像画像を受信し、年齢判定部は、受信された物品撮像画像に撮像されているサービス対象ユーザが特定年齢範囲か生物学的特質に基づいて推定し、サービス許可部は、サービス対象ユーザが生物学的特質に基づいて特定年齢範囲と推定されないと年齢制限サービスの提供を許可しない。
【００２３】
上述のようなデータ処理装置において、特質保持部は、サービス対象ユーザの外観に露呈する対象ユーザ年代ごとの生物学的特質ではない各種の年代文化特質も保持し、年齢判定部は、受信された物品撮像画像に撮像されているサービス対象ユーザが特定年齢範囲か年代文化特質にも基づいて推定し、サービス許可部は、サービス対象ユーザが年代文化特質にも基づいて特定年齢範囲と推定されないと年齢制限サービスの提供を許可しない。
【００２４】
上述のようなデータ処理装置において、受信された物品撮像画像に撮像されている年齢制限物品から抽出された物品外観特徴とサービス対象ユーザから抽出された年代文化特質とを組み合わせてデータ収集するデータ収集部を、さらに有してもよい。
【００２５】
また、上述のようなデータ処理装置において、画像受信部は、サービス対象ユーザが所持するユーザ情報端末で撮像されて送信された物品撮像画像を受信し、ユーザ情報端末にインストールされて物品撮像画像を暗号化して送信する暗号送信プログラムを保持するプログラム保持部と、保持されている暗号送信プログラムをユーザ情報端末に提供するプログラム提供部とを、さらに有し、画像受信部は、暗号送信プログラムで暗号化されて受信した物品撮像画像を復号してもよい。
【００２６】
また、上述のようなデータ処理装置において、物品撮像画像を送信したユーザ情報端末に許可された年齢制限サービスをデータ提供するサービス提供部を、さらに有してもよい。
【００２７】
また、上述のようなデータ処理装置において、年齢制限物品がタバコパックとタバコカートンとの少なくとも一方からなってもよい。
【００２８】
本発明のコンピュータプログラムは、特定年齢範囲のサービス対象ユーザに年齢制限サービスを提供することに利用されるデータ処理装置のコンピュータプログラムであって、特定年齢範囲のサービス対象ユーザしか所持できない年齢制限物品の各種の物品外観特徴を保持する特徴保持処理と、年齢制限物品が撮像されている物品撮像画像を受信する画像受信処理と、受信された物品撮像画像に撮像されている年齢制限物品から少なくとも一つの物品外観特徴を抽出する特徴抽出処理と、抽出された物品外観特徴から年齢制限物品を特定する物品特定処理と、特定された年齢制限物品によりサービス対象ユーザが特定年齢範囲か判定する年齢判定処理と、サービス対象ユーザが特定年齢範囲と判定されると年齢制限サービスの提供を許可するサービス許可処理と、をデータ処理装置に実行させる。
【００２９】
本発明のデータ処理方法は、特定年齢範囲のサービス対象ユーザに年齢制限サービスを提供することに利用されるデータ処理装置のデータ処理方法であって、特定年齢範囲のサービス対象ユーザしか所持できない年齢制限物品の各種の物品外観特徴を保持する特徴保持動作と、年齢制限物品が撮像されている物品撮像画像を受信する画像受信動作と、受信された物品撮像画像に撮像されている年齢制限物品から少なくとも一つの物品外観特徴を抽出する特徴抽出動作と、抽出された物品外観特徴から年齢制限物品を特定する物品特定動作と、特定された年齢制限物品によりサービス対象ユーザが特定年齢範囲か判定する年齢判定動作と、サービス対象ユーザが特定年齢範囲と判定されると年齢制限サービスの提供を許可するサービス許可動作と、を有する。
【００３０】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００３１】
また、本発明の各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００３２】
また、本発明のコンピュータプログラムおよびデータ処理方法は、複数の処理および動作を順番に記載してあるが、その記載の順番は複数の処理および複数の動作を実行する順番を限定するものではない。
【００３３】
このため、本発明のコンピュータプログラムおよびデータ処理方法を実施するときには、その複数の処理および複数の動作の順番は内容的に支障しない範囲で変更することができる。
【００３４】
さらに、本発明のコンピュータプログラムおよびデータ処理方法は、複数の処理および複数の動作が個々に相違するタイミングで実行されることに限定されない。このため、ある処理および動作の実行中に他の処理および動作が発生すること、ある処理および動作の実行タイミングと他の処理および動作の実行タイミングとの一部ないし全部が重複していること、等でもよい。
【００３５】
また、本発明で云うデータ処理装置は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
【００３６】
なお、本発明でコンピュータプログラムに対応した各種動作をデータ処理装置に実行させることは、各種デバイスをデータ処理装置に動作制御させることなども意味している。
【００３７】
例えば、データ処理装置に各種データを記憶させることは、データ処理装置に固定されているＨＤＤ（Hard Disc Drive）等の情報記憶媒体にＣＰＵが各種データを格納すること、データ処理装置に交換自在に装填されているＣＤ−Ｒ（Compact Disc-Recordable）等の情報記憶媒体にＣＰＵがＣＤドライブで各種データを格納すること、等を許容する。
【発明の効果】
【００３８】
本発明のデータ処理装置では、特定年齢範囲のサービス対象ユーザしか所持できない年齢制限物品の各種の物品外観特徴を特徴保持部が保持する。このような状態で、年齢制限物品が撮像されている物品撮像画像を画像受信部が受信すると、受信された物品撮像画像に撮像されている年齢制限物品から少なくとも一つの物品外観特徴を特徴抽出部が抽出する。この抽出された物品外観特徴から年齢制限物品を物品特定部が特定する。この特定された年齢制限物品によりサービス対象ユーザが特定年齢範囲か年齢判定部が判定する。これでサービス対象ユーザが特定年齢範囲と判定されると年齢制限サービスの提供をサービス許可部が許可する。このため、サービス対象ユーザが年齢制限物品を撮像して送信するだけで、その年齢制限物品により特定年齢範囲が確認されて年齢制限サービスの提供がサービス対象ユーザに許可される。特に、年齢制限物品は特定年齢範囲でないと所持できないので、簡単かつ確実にサービス対象ユーザが特定年齢範囲か判定して年齢制限サービスを提供することができる。
【発明を実施するための最良の形態】
【００３９】
本発明の実施の一形態を図面を参照して以下に説明する。本実施の形態のデータ処理装置１００は、図１および図２に示すように、特定年齢範囲ＩＡＲのサービス対象ユーザＳＴＹに年齢制限サービスＡＣＳを提供することに利用される。
【００４０】
このため、本実施の形態のデータ処理装置１００は、特定年齢範囲ＩＡＲのサービス対象ユーザＳＴＹしか所持できない年齢制限物品であるタバコパックＳＴＰの各種の物品外観特徴ＰＡＳを保持する特徴保持部１１０と、タバコパックＳＴＰが撮像されている物品撮像画像ＰＣＧを受信する画像受信部１２０と、受信された物品撮像画像ＰＣＧに撮像されているタバコパックＳＴＰから少なくとも一つの物品外観特徴ＰＡＳを抽出する特徴抽出部１３０と、抽出された物品外観特徴ＰＡＳからタバコパックＳＴＰを特定する物品特定部１４０と、特定されたタバコパックＳＴＰによりサービス対象ユーザＳＴＹが特定年齢範囲ＩＡＲか判定する年齢判定部１５０と、サービス対象ユーザＳＴＹが特定年齢範囲ＩＡＲと判定されると年齢制限サービスＡＣＳの提供を許可するサービス許可部１６０と、を有する。
【００４１】
より具体的には、本実施の形態のデータ処理装置１００は、タバコパックＳＴＰを販売するタバコ販売メーカのデータベースサーバなどからなる。本実施の形態のタバコ販売メーカは、タバコパックＳＴＰを消費するサービス対象ユーザＳＴＹに年齢制限サービスＡＣＳを実施する。
【００４２】
当然ながら、タバコパックＳＴＰは、特定年齢範囲ＩＡＲのサービス対象ユーザＳＴＹしか所持できない。また、タバコパックＳＴＰは、各種の工業製品と同様に銘柄ごとに各種の物品外観特徴ＰＡＳがあるため、これがデータ処理装置１００の特徴保持部１１０にデータ登録されている。
【００４３】
そこで、特徴抽出部１３０は、図５に示すように、上述のような物品外観特徴ＰＡＳの抽出や、一般化された画像レイアウトとのパターンマッチングなどにより、受信された物品撮像画像ＰＣＧのパック外観画像ＰＡＧから物品外観特徴ＰＡＳを抽出する。
【００４４】
物品特定部１４０は、物品撮像画像ＰＣＧから抽出される複数の物品外観特徴ＰＡＳの組み合わせを検出することなどにより、パック外観画像ＰＡＧからタバコパックＳＴＰを特定する。すると、年齢判定部１５０は、タバコパックＳＴＰを所持していることからサービス対象ユーザＳＴＹを特定年齢範囲ＩＡＲと判定する。
【００４５】
そこで、サービス許可部１６０は、撮像された物品撮像画像ＰＣＧからタバコパックＳＴＰが適正に特定されると、サービス対象ユーザＳＴＹが特定年齢範囲ＩＡＲと判定して年齢制限サービスＡＣＳの提供を許可する。
【００４６】
ただし、本実施の形態のデータ処理装置１００は、タバコパックＳＴＰのパック外観画像ＰＡＧのみでサービス対象ユーザＳＴＹを特定年齢範囲ＩＡＲと判定せず、サービス対象ユーザＳＴＹが特定年齢範囲ＩＡＲかを二重に判定する。
【００４７】
このため、データ処理装置１００は、図１に示すように、サービス対象ユーザＳＴＹの少なくとも上半身に露呈する対象ユーザ年代ごとの各種の生物学的特質ＰＤＳを保持する特質保持部１７０も有する。
【００４８】
この生物学的特質ＰＤＳは、既存の顔面年齢認証に利用される、眼部位置のパターンデータなどからなる。このため、年齢判定部１５０は、生物学的特質ＰＤＳによってもサービス対象ユーザＳＴＹが特定年齢範囲ＩＡＲか推定する。
【００４９】
このような顔面認識アルゴリズムとしては各種があるが、例えば、図６に示すように、人間の顔面の生物学的特徴を各種リソースとして基準画像(図示せず)とパターンマッチングすることなどにより実行される。
【００５０】
そこで、サービス許可部１６０は、前述のように撮像された物品撮像画像ＰＣＧからタバコパックＳＴＰが適正に特定されても、サービス対象ユーザＳＴＹが生物学的特質ＰＤＳに基づいて特定年齢範囲ＩＡＲと推定されないと、年齢制限サービスＡＣＳの提供を許可しない。
【００５１】
なお、本実施の形態のデータ処理装置１００の画像受信部１２０は、サービス対象ユーザＳＴＹが所持するユーザ情報端末である携帯電話端末２００の画像撮像部２１０で撮像されて送信された物品撮像画像ＰＣＧを受信する。
【００５２】
そこで、データ処理装置１００は、携帯電話端末２００にインストールされて物品撮像画像ＰＣＧを暗号化して送信する暗号送信プログラムＳＳＰを保持するプログラム保持部１８０と、保持されている暗号送信プログラムＳＳＰを携帯電話端末２００に提供するプログラム提供部１９０と、も有する。このため、画像受信部１２０は、暗号化されている物品撮像画像ＰＣＧを受信して復号する。
【００５３】
データ処理装置１００は、いわゆるＣＰＵやＨＤＤなどの既存のハードウェアで形成されており、専用のコンピュータプログラムがソフトウェアとして実装されることで、上述のような各部１１０〜が各種機能として論理的に実現されている。
【００５４】
例えば、特徴保持部１１０、特質保持部１７０、プログラム保持部１８０は、データ処理装置１００のＣＰＵが実装されているコンピュータプログラムに対応して認識するようにＨＤＤなどの記憶デバイスに構築された記憶エリアなどに相当する。
【００５５】
画像受信部１２０やプログラム提供部１９０は、例えば、ＣＰＵがコンピュータプログラムに対応して通信Ｉ／Ｆ(図示せず)のデータ通信を動作制御する機能などに相当する。
【００５６】
特徴抽出部１３０、物品特定部１４０、年齢判定部１５０等は、例えば、ＣＰＵがコンピュータプログラムに対応して所定のデータ処理を実行する機能などに相当する。サービス許可部１６０は、例えば、ＣＰＵがコンピュータプログラムに対応してディスプレイユニット(図示せず)のデータ表示を動作制御する機能などに相当する。
【００５７】
上述のようなデータ処理装置１００のコンピュータプログラムは、例えば、特定年齢範囲ＩＡＲのサービス対象ユーザＳＴＹしか所持できないタバコパックＳＴＰの各種の物品外観特徴ＰＡＳを保持する特徴保持処理と、タバコパックＳＴＰが撮像されている物品撮像画像ＰＣＧを受信する画像受信処理と、受信された物品撮像画像ＰＣＧに撮像されているタバコパックＳＴＰから少なくとも一つの物品外観特徴ＰＡＳを抽出する特徴抽出処理と、抽出された物品外観特徴ＰＡＳからタバコパックＳＴＰを特定する物品特定処理と、特定されたタバコパックＳＴＰによりサービス対象ユーザＳＴＹが特定年齢範囲ＩＡＲか判定する年齢判定処理と、サービス対象ユーザＳＴＹが特定年齢範囲ＩＡＲと判定されると年齢制限サービスＡＣＳの提供を許可するサービス許可処理と、をデータ処理装置１００に実行させるように記述されている。
【００５８】
上述のような構成において、本実施の形態のデータ処理装置１００は、例えば、図２に示すように、購入や利用に年齢制限がある紙巻タバコのタバコパックＳＴＰを製造するタバコ製造メーカＴＭＭで利用される。
【００５９】
このタバコ製造メーカＴＭＭでは、例えば、タバコパックＳＴＰを購入するサービス対象ユーザＳＴＹに年齢制限サービスＡＣＳを実施することがある。このような年齢制限サービスＡＣＳは、例えば、タバコパックＳＴＰに関連した携帯灰皿のプレゼントや、特定の動画データの配信、などとして実施される。
【００６０】
当然ながら、タバコパックＳＴＰは成人しか消費できないため、その年齢制限サービスＡＣＳも成人しか提供されない。そこで、タバコ製造メーカＴＭＭでは、例えば、図７に示すように、成人しかアクセスできないウェブサイト(図示せず)をデータ処理装置１００で通信ネットワークＣＩＮに開設する(ステップＳ１)。
【００６１】
一方、そのウェブサイトへのアクセスアドレスを、図３に示すように、商品データのバーコードＴＩＤなどとともに、二次元コードＴＤＣでタバコパックＳＴＰに表記しておく。
【００６２】
そこで、タバコパックＳＴＰを購入したサービス対象ユーザＳＴＹが年齢制限サービスＡＣＳを要望する場合には、その二次元コードＴＤＣを携帯電話端末２００のＣＣＤ(Charge Coupled Device)カメラなどの画像撮像部２１０で撮像する。
【００６３】
すると、現在の携帯電話端末２００の標準的な機能により二次元コードＴＤＣがウェブアドレスに変換され、タバコ製造メーカＴＭＭのウェブサイトにアクセスすることとなる(ステップＳ２−Ｙ)。すると、ウェブサイトでは、年齢制限サービスＡＣＳを受領するための各種のガイダンスメッセージが表示出力される(ステップＳ３)。
【００６４】
例えば、年齢制限サービスＡＣＳを受領するためには、そのタバコ製造メーカＴＭＭが販売する年齢制限物品であるタバコパックＳＴＰを、本人が所定ポーズで把持した状態を撮像して送付する必要があること、その送付は専用の暗号送信プログラムＳＳＰにより実行されること、その暗号送信プログラムＳＳＰをウェブサイトからダウンロードできること、等が表示出力される。
【００６５】
このような状態で、携帯電話端末２００から暗号送信プログラムＳＳＰのダウンロードが要求されると(ステップＳ４−Ｙ)、データ処理装置１００は暗号送信プログラムＳＳＰを配信する(ステップＳ５)。
【００６６】
この場合、携帯電話端末２００は、ウェブサイトからダウンロードした暗号送信プログラムＳＳＰをインストールすることになる。このような状態で、サービス対象ユーザＳＴＹは、暗号送信プログラムＳＳＰを起動した携帯電話端末２００の画像撮像部２１０で所望のタバコパックＳＴＰを自身とともに撮像する。
【００６７】
すると、その暗号送信プログラムＳＳＰは、撮像された物品撮像画像ＰＣＧを所定アルゴリズムにより暗号化し、データ処理装置１００の専用アドレスの記憶エリアにデータ送信する。
【００６８】
このとき、暗号化のアルゴリズムと、送信先の記憶エリアのウェブアドレスとは、暗号送信プログラムＳＳＰに実装されているが、携帯電話端末２００では確認できないようにされている。
【００６９】
図８に示すように、上述のように物品撮像画像ＰＣＧをデータ受信したタバコ製造メーカＴＭＭのデータ処理装置１００は(ステップＴ１−Ｙ)、その暗号化された物品撮像画像ＰＣＧを所定アルゴリズムにより復号する(ステップＴ２)。
【００７０】
図４に示すように、これでタバコパックＳＴＰの物品撮像画像ＰＣＧが復元されると、図５に示すように、物品撮像画像ＰＣＧから物品外観特徴ＰＡＳが抽出される(ステップＴ３)。
【００７１】
この場合、事前にデータ登録されているタバコパックＳＴＰの銘柄画像などの物品外観特徴ＰＡＳを物品撮像画像ＰＣＧの特定領域からパターンマッチングで検出する。これでパック外観画像ＰＡＧが検出されてタバコパックＳＴＰが特定される(ステップＴ４−Ｙ)。
【００７２】
このとき、所定のタバコパックＳＴＰであることが判定されないと(ステップＴ４−Ｎ)、例えば、「申し訳ありませんが、当社の製品と特定できませんでした。より鮮明な写真、または、より高解像度な写真、を撮影して再送してください。」等のエラーメッセージがデータ処理装置１００から携帯電話端末２００に返信される(ステップＴ９)。
【００７３】
一方、タバコ製造メーカＴＭＭの適正なタバコパックＳＴＰであることが判定されると(ステップＴ４−Ｙ)、そのサービス対象ユーザＳＴＹは特定年齢範囲ＩＡＲの顧客であることが確認されたことになる。
【００７４】
ただし、子供が父親のタバコパックＳＴＰを不正に持ち出して携帯電話端末２００で撮像し、上述のような一連の操作を実行するような可能性もある。そこで、本実施の形態のデータ処理装置１００は、タバコパックＳＴＰを適正に確認すると、一緒に撮像されているサービス対象ユーザＳＴＹを生物学的特質ＰＤＳにより特定年齢範囲ＩＡＲか二重に確認する(ステップＴ５，Ｔ６)。
【００７５】
その場合、図６に示すように、前述した既存の顔面認識アルゴリズムなどにより、物品撮像画像ＰＣＧの特定領域のユーザ顔面画像ＣＦＧから生物学的特質ＰＤＳが抽出される(ステップＴ５)。
【００７６】
これでサービス対象ユーザＳＴＹが特定年齢範囲ＩＡＲであると推定できない場合には(ステップＴ６−Ｎ)、例えば、「申し訳ありませんが、本サービスを利用することはできません。」等のエラーメッセージがデータ処理装置１００から携帯電話端末２００に返信される(ステップＴ９)。この場合、サービスを利用できない理由は明示されないため、未成年者が不正な工夫によりサービスを利用することが防止される。
【００７７】
一方、生物学的特質ＰＤＳによりサービス対象ユーザＳＴＹが特定年齢範囲ＩＡＲであると推定されると(ステップＴ６−Ｙ)、これでサービス対象ユーザＳＴＹは正当であると二重に確認できたことになる。
【００７８】
すると、データ処理装置１００では、物品撮像画像ＰＣＧの送信時に入力操作されたユーザ個人データが抽出される(ステップＴ７)。このユーザ個人データは、年齢制限サービスＡＣＳに必要な氏名や住所などからなり、暗号送信プログラムＳＳＰにより物品撮像画像ＰＣＧの送信時に入力操作が指示される。
【００７９】
そして、このように抽出されたユーザ個人データは、年齢制限サービスＡＣＳの許可ガイダンスとともにデータ処理装置１００からタバコ製造メーカＴＭＭのサービス担当者(図示せず)に出力される(ステップＴ８)。
【００８０】
そこで、このサービス担当者は、データ処理装置１００の表示出力などで報知されたサービス許可を確認するとともに、サービス対象ユーザＳＴＹの氏名や住所などのユーザ個人データを確認し、これでプレゼント発送などの年齢制限サービスＡＣＳを実行することになる。
【００８１】
本実施の形態のデータ処理装置１００では、上述のように特定年齢範囲ＩＡＲのサービス対象ユーザＳＴＹしか所持できないタバコパックＳＴＰの各種の物品外観特徴ＰＡＳを特徴保持部１１０が保持する。
【００８２】
このような状態で、タバコパックＳＴＰが撮像されている物品撮像画像ＰＣＧを画像受信部１２０が受信すると、受信された物品撮像画像ＰＣＧに撮像されているタバコパックＳＴＰから少なくとも一つの物品外観特徴ＰＡＳを特徴抽出部１３０が抽出する。
【００８３】
この抽出された物品外観特徴ＰＡＳからタバコパックＳＴＰを物品特定部１４０が特定する。この特定されたタバコパックＳＴＰによりサービス対象ユーザＳＴＹが特定年齢範囲ＩＡＲか年齢判定部１５０が判定する。
【００８４】
これでサービス対象ユーザＳＴＹが特定年齢範囲ＩＡＲと判定されると年齢制限サービスＡＣＳの提供をサービス許可部１６０が許可する。このため、サービス対象ユーザＳＴＹがタバコパックＳＴＰを撮像して送信するだけで、そのタバコパックＳＴＰにより特定年齢範囲ＩＡＲが確認されて年齢制限サービスＡＣＳの提供がサービス対象ユーザＳＴＹに許可される。
【００８５】
特に、タバコパックＳＴＰは特定年齢範囲ＩＡＲでないと所持できないので、簡単かつ確実にサービス対象ユーザＳＴＹが特定年齢範囲ＩＡＲか判定して年齢制限サービスＡＣＳを提供することができる。
【００８６】
さらに、本実施の形態のデータ処理装置１００では、タバコパックＳＴＰと一緒に物品撮像画像ＰＣＧに撮像されるサービス対象ユーザＳＴＹが特定年齢範囲ＩＡＲか生物学的特質ＰＤＳでも確認する。このため、もしも未成年者が成年者のタバコパックＳＴＰを不正に借用しても、年齢制限サービスＡＣＳを不正に受領することを防止できる。
【００８７】
しかも、タバコパックＳＴＰの確認による特定年齢範囲ＩＡＲかの判定と、サービス対象ユーザＳＴＹの生物学的特質ＰＤＳの抽出による特定年齢範囲ＩＡＲかの判定とを、一つの物品撮像画像ＰＣＧで実行する。このため、サービス対象ユーザＳＴＹに煩雑な作業を強要することなく特定年齢範囲ＩＡＲかを簡単かつ確実に判定して年齢制限サービスＡＣＳを提供することができる。
【００８８】
しかも、タバコパックＳＴＰの物品撮像画像ＰＣＧは専用の暗号送信プログラムＳＳＰにより携帯電話端末２００で暗号化されてデータ処理装置１００に送信されるので、その操作が簡単であるとともにプライバシの守秘性も自動的に確実に確保される。
【００８９】
さらに、その送信アドレスは暗号送信プログラムＳＳＰに実装されており、この暗号送信プログラムＳＳＰがインストールされた携帯電話端末２００でも確認できない。このため、成年者の物品撮像画像ＰＣＧを未成年者が不正に送信することを良好に防止できる。
【００９０】
しかも、その暗号送信プログラムＳＳＰは、一般に公開されていないタバコ製造メーカＴＭＭのウェブサイトで配布されており、そのウェブサイトにアクセスするためにはタバコパックＳＴＰの二次元コードＴＤＣを携帯電話端末２００で光学読取する必要がある。
【００９１】
当然ながら未成年者はタバコパックＳＴＰを購入できないので、その二次元コードＴＤＣを携帯電話端末２００に光学読取させてウェブサイトにアクセスすることもできない。
【００９２】
しかも、正当なサービス対象ユーザＳＴＹは、携帯電話端末２００でタバコパックＳＴＰの二次元コードＴＤＣを光学読取すれば、上述のように一般に公開されていないタバコ製造メーカＴＭＭのウェブサイトにアクセスできる。
【００９３】
このため、その操作が簡単で確実である。しかも、上述のウェブサイトをタバコパックＳＴＰの銘柄ごとに用意しておき、サービス対象ユーザＳＴＹのアクセス数をデータ処理装置１００で統計処理するようなこともできる。
【００９４】
さらに、現在の日本では携帯電話端末２００が一般に普及しており、その大部分が画像撮像部２１０を有するとともに追加プログラムの実装機能なども有している。このため、上述のようにデータ処理装置１００と協調して簡単に必要な機能を発生することができる。
【００９５】
なお、本発明は本実施の形態に限定されるものではなく、その要旨を逸脱しない範囲で各種の変形を許容する。例えば、上記形態ではタバコパックＳＴＰが適正に確認されると銘柄などには関係なく特定の年齢制限サービスＡＣＳが提供されることを例示した。
【００９６】
しかし、複数種類のタバコパックＳＴＰごとに複数種類の年齢制限サービスＡＣＳが用意されていてもよい。そして、データ処理装置１００は、タバコパックＳＴＰを種類まで特定し、特定された種類のタバコパックＳＴＰに対応した種類の年齢制限サービスＡＣＳの提供を許可する。この場合、タバコパックＳＴＰの銘柄に対応した年齢制限サービスＡＣＳをサービス対象ユーザＳＴＹに提供することができる。
【００９７】
さらに、上記形態では年齢制限物品がタバコパックＳＴＰからなることを例示したが、これがタバコカートンやアルコール飲料でもよい(図示せず)。例えば、同一銘柄のタバコパックＳＴＰとタバコカートンとで年齢制限サービスＡＣＳの種類や数量を変更するようなことでもよい。
【００９８】
さらに、上記形態では物品撮像画像ＰＣＧに一個のタバコパックＳＴＰが撮像され、それに対応して一種類の年齢制限サービスＡＣＳが提供されることを想定した。しかし、データ処理装置１００が、種類が相違する複数のタバコパックＳＴＰが撮像されている物品撮像画像ＰＣＧを受信し、複数のタバコパックＳＴＰごとに種類も特定し、特定された複数のタバコパックＳＴＰの種類の組み合わせに対応した年齢制限サービスＡＣＳの提供を許可してもよい(図示せず)。
【００９９】
この場合、複数種類のタバコパックＳＴＰを愛用しているサービス対象ユーザＳＴＹに特別な年齢制限サービスＡＣＳを提供するようなことができる。また、タバコパックＳＴＰの組み合わせと複数種類の年齢制限サービスＡＣＳとの対応関係を秘密とすることにより、多種類のタバコパックＳＴＰの購入をサービス対象ユーザＳＴＹに推進するようなこともできる。
【０１００】
また、上記形態ではデータ処理装置１００が、サービス対象ユーザＳＴＹの少なくとも上半身に露呈する対象ユーザ年代ごとの各種の生物学的特質ＰＤＳを保持し、その生物学的特質ＰＤＳでサービス対象ユーザＳＴＹが特定年齢範囲ＩＡＲか推定することを例示した。
【０１０１】
しかし、データ処理装置１００が、サービス対象ユーザＳＴＹの外観に露呈する対象ユーザ年代ごとの生物学的特質ＰＤＳではない各種の年代文化特質も保持し、受信された物品撮像画像ＰＣＧに撮像されているサービス対象ユーザＳＴＹが特定年齢範囲ＩＡＲか年代文化特質にも基づいて推定してもよい(図示せず)。
【０１０２】
この場合、データ処理装置１００は、服装、装飾品、髪型、化粧、携帯品、等の年代文化特質を、複数の対象ユーザ年代ごとに複数ずつ保持する。このような年代文化特質は、例えば、上述のようなサービス対象ユーザＳＴＹの上半身の服装や装飾品などとパターンマッチングされる基準画像(図示せず)などの各種リソースからなる。
【０１０３】
このようなデータ処理装置１００は、ユーザ顔面画像ＣＦＧから抽出される、髪型、その着色、イヤリングやネックレスなどの装飾品の有無やブランド、その装着手法、着衣のブランドや着方、化粧の有無や手法、等を年代文化特質として、サービス対象ユーザＳＴＹが特定年齢範囲ＩＡＲであるか推定する。
【０１０４】
この場合、抽出された複数の年代文化特質の組み合わせにより、サービス対象ユーザＳＴＹが特定年齢範囲ＩＡＲであるか推定してもよい。例えば、抽出された複数の年代文化特質ごとに、各々の推定年代に各々の確度係数を乗算し、その平均値を推定年代として算出することなどにより、サービス対象ユーザＳＴＹが特定年齢範囲ＩＡＲであるか確認される。
【０１０５】
なお、受信された物品撮像画像ＰＣＧに撮像されているタバコパックＳＴＰから抽出された物品外観特徴ＰＡＳとサービス対象ユーザＳＴＹから抽出された年代文化特質とを組み合わせてデータ収集してもよい(図示せず)。
【０１０６】
この場合、年代文化特質からサービス対象ユーザＳＴＹの趣味嗜好などを推定することができる。従って、どのような趣味嗜好のサービス対象ユーザＳＴＹが、どのようなタバコパックＳＴＰを愛用しているか、の相対関係を解析するようなことができるので、効果的な新製品の開発や販売戦略の立案などに利用することができる。
【０１０７】
さらに、上記形態ではデータ処理装置１００が携帯電話端末２００にインストールされて物品撮像画像ＰＣＧを暗号化して送信する暗号送信プログラムＳＳＰを保持し、この暗号送信プログラムＳＳＰをウェブサイトからサービス対象ユーザＳＴＹの携帯電話端末２００に配信することを例示した。
【０１０８】
しかし、タバコパックＳＴＰの二次元コードＴＤＣで暗号送信プログラムＳＳＰをサービス対象ユーザＳＴＹに提供するようなこともできる。この場合でも、タバコパックＳＴＰを所持できるサービス対象ユーザＳＴＹしか暗号送信プログラムＳＳＰを利用できないので、未成年者が年齢制限サービスＡＣＳを不正に受領することを防止できる。
【０１０９】
さらに、上記形態ではタバコ製造メーカＴＭＭのウェブサイトへのアクセス手段としてタバコパックＳＴＰに二次元コードＴＤＣを付与しておくことを例示した。しかし、タバコパックＳＴＰにＲＦＩＤ(Radio Frequency Identification)チップ(図示せず)を付与しておき、これにサイトアドレスや暗号送信プログラムＳＳＰを格納しておいてもよい。
【０１１０】
また、上記形態ではデータ処理装置１００が年齢制限サービスＡＣＳの許可ガイダンスをユーザ個人データとともにタバコ製造メーカＴＭＭのサービス担当者に出力し、このサービス担当者が年齢制限サービスＡＣＳを実施することを例示した。
【０１１１】
しかし、年齢制限サービスＡＣＳを動画データや割引データの配信などとしておき、このような年齢制限サービスＡＣＳをデータ処理装置が自動実行してもよい(図示せず)。この場合、物品撮像画像ＰＣＧとともにユーザ個人データを送信せずとも、物品撮像画像ＰＣＧの送信元に年齢制限サービスＡＣＳのサービスデータを返信すればよい。
【０１１２】
また、上記形態ではサービス対象ユーザＳＴＹのユーザ情報端末として携帯電話端末２００を例示した。しかし、このようなユーザ情報端末としてウェブカメラを実装したパーソナルコンピュータなどを利用してもよい(図示せず)。
【０１１３】
さらに、本実施の形態ではデータ処理装置１００の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【０１１４】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【０１１５】
【図１】本発明の実施の形態のデータ処理装置とユーザ情報端末である携帯電話端末からなるシステム全体の論理構造を示す模式的なブロック図である。
【図２】システム全体の物理構造を示すブロック図である。
【図３】年齢制限物品であるタバコパックの外観を示す斜視図である。
【図４】物品撮像画像を示す模式的な正面図である。
【図５】物品撮像画像からパック外観画像が抽出される状態を示す模式図である。
【図６】物品撮像画像からユーザ顔面画像が抽出されて年齢認証される状態を示す模式図である。
【図７】データ処理装置によるデータ処理方法の一部を示すフローチャートである。
【図８】データ処理装置によるデータ処理方法の一部を示すフローチャートである。
【符号の説明】
【０１１６】
１００    データ処理装置
１１０    特徴保持部
１２０    画像受信部
１３０    特徴抽出部
１４０    物品特定部
１５０    年齢判定部
１６０    サービス許可部
１７０    特質保持部
１８０    プログラム保持部
１９０    プログラム提供部
２００    携帯電話端末
２１０    画像撮像部
ＡＣＳ    年齢制限サービス
ＣＦＧ    ユーザ顔面画像
ＣＩＮ    通信ネットワーク
ＩＡＲ    特定年齢範囲
ＰＡＧ    パック外観画像
ＰＡＳ    物品外観特徴
ＰＣＧ    物品撮像画像
ＰＤＳ    生物学的特質
ＳＳＰ    暗号送信プログラム
ＳＴＫ    タバコカートン
ＳＴＰ    タバコパック
ＳＴＹ    サービス対象ユーザ
ＴＤＣ    二次元コード
ＴＩＤ    バーコード
ＴＭＭ    タバコ製造メーカ
【図１】
2010079396.tif 000003
【図２】
2010079396.tif 000004
【図３】
2010079396.tif 000005
【図４】
2010079396.tif 000006
【図５】
2010079396.tif 000007
【図６】
2010079396.tif 000008
【図７】
2010079396.tif 000009
【図８】
2010079396.tif 000010